(57)【要約】【課題】飲料添加物を備えた容器の蓋体において、容器に収容された飲料水等に対する飲料添加物の投入操作を簡略化することができる容器の蓋体構造の提供。【解決手段】キャップ２における環状段部２３の奥にお茶の粉５を収容可能な空間２７が設けられ、環状シール部材３は、内周面に切り溝３１が形成されると共に該切り溝３１のうち略半周が環状シール部材３の外周面まで貫通するスリット状３１ａに形成され、切り溝３１内に外周縁部を挿入した状態で空間２７とペットボトル本体１との間を仕切る仕切り板４が設けられ、キャップ２には切り溝３１のうち略半周が環状シール部材３の外周面まで貫通するスリット状３１ａに形成された部分と対向する位置にスリット２８が形成されていて仕切り板４の一部がスリット２８からキャップ２の外部に突出されて撮み部４１が形成されている。【選択図】        図２
2004268930.tif 000002
【特許請求の範囲】
【請求項１】
容器の開口部外周に形成された雄ねじ部に雌ねじ部が螺合されることにより該雌ねじ部の最終端部に形成された環状段部に備えた環状シール部材を前記容器における開口部の開口端面に圧接させることにより前記開口部を閉塞する蓋体であって、
該蓋体は、前記環状段部の奥にお茶の粉等の飲料添加物を収容可能な空間が設けられ、
前記環状シール部材は、内周面に切り溝が形成されると共に該切り溝のうち略半周が前記環状シール部材の外周面まで貫通するスリット状に形成され、
該切り溝内に外周縁部を挿入した状態で前記空間と容器との間を仕切る仕切り板が設けられ、
前記蓋体には前記切り溝のうち略半周が前記環状シール部材の外周面まで貫通するスリット状に形成された部分と対向する位置にスリットが形成されていて前記仕切り板の一部が前記スリットから前記蓋体の外部に突出されて撮み部が形成されていることを特徴とする容器の蓋体構造。
【請求項２】
前記蓋体の下端部には、前記容器の開口部外周の雄ねじ部下方に形成された下向き環状係止段部に対し嵌合係止可能な係止部が形成された環状バンドが複数の切り取り片を介して一体に形成されていることを特徴とする請求項１に記載の容器の蓋体構造。
【請求項３】
容器の開口部外周に形成された雄ねじ部に雌ねじ部が螺合されることにより該雌ねじ部の最終端部に形成された環状段部に備えた環状シール部材を前記容器における開口部の開口端面に圧接させることにより前記開口部を閉塞する蓋体であって、
該蓋体には、前記環状段部の内側で該環状段部と同一方向に向いた開口部端面と該開口部からお茶の粉等の飲料添加物を収容可能な空間とが設けられ、
該空間の開口部端面には該開口部を閉塞する閉塞板が接着固定され、
前記空間を構成するケーシング部には該ケーシング部に中途部が回動自在に軸支されていて作動部側が前記閉塞板に当接し操作部側がケーシング部の外部に突出した開放操作片が備えられていることを特徴とする容器の蓋体構造。
【請求項４】
前記空間の開口部端面が前記容器の開口部内まで突出する状態で設けられていることを特徴とする請求項３に記載の容器の蓋体構造。
【請求項５】
金属製の容器の開口部が金属製の蓋体で閉じられていて該蓋体には肉薄部で予め開口位置が設定された飲み口をてこ作用により開口操作するためのプルタブが備えられたプルトップ缶において、
前記蓋体の裏面側にはお茶の粉等の飲料添加物を収容可能な空間を形成するためのケーシングが設けられ、
該ケーシングには肉薄部で予め開口位置が設定された排出口が形成され、
前記蓋体のうち前記プルタブの引き起こし操作で開口される飲み口部分の裏面側には該飲み口部分の開放動作と連動して前記排出口を押圧開口させる開放片が固定されていることを特徴とする容器の蓋体構造。
【発明の詳細な説明】
【０００１】
【発明の属する技術分野】
本発明は、容器の蓋体構造に関し、特に、飲料添加物を収容可能な空間を備えた蓋体構造の改良技術に関する。
【０００２】
【従来の技術】
従来、飲料添加物を収容可能な空間を備えた蓋体構造としては、例えば、図８に示すように、ペットボトル等の飲料水を充填した容器１０１をねじ式の蓋体１０２によって開閉可能に閉じると共に、前記蓋体１０２の裏面に筒形周壁１０３を突出して設け、その筒形周壁１０３の内部に顆粒状の食味材１０４を収容した状態で前記筒形周壁１０３の開口部を開口可能な薄蓋板１０５で閉じておき、蓋体１０２を開けて飲用する直前に前記薄蓋板１０５を剥して筒形周壁１０３内に収容された顆粒状の食味材１０４を容器１０１内に収容された飲料水に投入して混合させるようにしたものがある（特許文献１参照。）。
【０００３】
また、図９に示すように、プルトップ缶等の飲料水を収容する金属製容器２０１の蓋部２０２に上方に突出する同心円状の凸段部２０３を一体に形成し、該凸段部２０３の頂面裏面に破断具２０４の押棒２０５の上端を固定し、該押棒２０５の下端に固定して刃部２０６を接着してなる小容器２０７の収容部２０８内に位置させた構成とし、例えば、前記金属製容器２０１内にはコーヒーを収容すると共に、小容器２０７の収容部２０８内にはミルク（飲料添加物）２０９を収容しておき、飲用する直前に凸段部２０３を指で押し下げることにより、押棒２０５を介して破断具２０４の刃部２０６で収容部２０８の底部を切断して内部に収容されたミルク２０９を金属製容器２０１内のコーヒーに混入させるようにしたものがある（特許文献２参照。）。
【０００４】
【特許文献１】
特願２００２−１１４２５９
【特許文献２】
特願２００２−３７０７４６
【０００５】
【発明が解決しようとする課題】
しかしながら、上述のような従来例にあっては、以下に述べるような問題点があった。
即ち、図８に示す従来例にあっては、飲用する直前に、まず、蓋体１０２を完全に開けた後、該蓋体１０２の裏面に設けられた筒状周壁１０３の開口部から薄蓋板１０５を剥し、筒状周壁１０３の内部に収容された顆粒状の食味材１０４を容器１０１内に収容された飲料水に投入して混合させる必要がある。
このように、蓋体１０２を一旦完全に開放する操作の他に、薄蓋板１０５の剥離操作および筒状周壁１０３の内部に収容された顆粒状の食味材１０４を容器１０１内に収容された飲料水に投入する操作が別工程として必要であるため、操作が面倒であるという問題があった。
【０００６】
また、図９に示す従来例にあっては、金属製容器２０１の蓋部２０２に設けられた飲み口をプルタブにより開放する前に、蓋部２０２に設けられた凸段部２０３を押し下げることにより、収容部２０８の底部を切断して内部に収容されたミルク２０９を金属製容器２０１内のコーヒーに混入させる必要がある。
このため、飲み口の開放操作の他に、凸段部２０３を押し下げる操作が別工程として必要であるため、操作が面倒であるという問題があった。
【０００７】
本発明は、上述の従来の問題点に着目してなされたもので、飲料添加物を備えた容器の蓋体において、容器に収容された飲料水等に対する飲料添加物の投入操作を簡略化することができる容器の蓋体構造を提供することを目的とする。
【０００８】
【課題を解決するための手段】
上述の目的を達成するために、本発明請求項１記載の容器の蓋体構造は、容器の開口部外周に形成された雄ねじ部に雌ねじ部が螺合されることにより該雌ねじ部の最終端部に形成された環状段部に備えた環状シール部材を前記容器における開口部の開口端面に圧接させることにより前記開口部を閉塞する蓋体であって、該蓋体は、前記環状段部の奥にお茶の粉等の飲料添加物を収容可能な空間が設けられ、前記環状シール部材は、内周面に切り溝が形成されると共に該切り溝のうち略半周が前記環状シール部材の外周面まで貫通するスリット状に形成され、該切り溝内に外周縁部を挿入した状態で前記空間と容器との間を仕切る仕切り板が設けられ、前記蓋体には前記切り溝のうち略半周が前記環状シール部材の外周面まで貫通するスリット状に形成された部分と対向する位置にスリットが形成されていて前記仕切り板の一部が前記スリットから前記蓋体の外部に突出されて撮み部が形成されていることを特徴とする手段とした。
【０００９】
請求項２記載の容器の蓋体構造は、請求項１に記載の容器の蓋体構造において、前記蓋体の下端部には、前記容器の開口部外周の雄ねじ部下方に形成された下向き環状係止段部に対し嵌合係止可能な係止部が形成された環状バンドが複数の切り取り片を介して一体に形成されていることを特徴とする手段とした。
【００１０】
請求項３記載の容器の蓋体構造は、容器の開口部外周に形成された雄ねじ部に雌ねじ部が螺合されることにより該雌ねじ部の最終端部に形成された環状段部に備えた環状シール部材を前記容器における開口部の開口端面に圧接させることにより前記開口部を閉塞する蓋体であって、前記環状段部の内側で該環状段部と同一方向に向いた開口部端面と該開口部からお茶の粉等の飲料添加物を収容可能な空間とが設けられ、該空間の開口端面には該開口部を閉塞する閉塞板が接着固定され、前記空間を構成するケーシング部には該ケーシング部に中途部が回動自在に軸支されていて作動部側が前記閉塞板に当接し操作部側がケーシング部の外部に突出した開放操作片が備えられていることを特徴とする手段とした。
【００１１】
請求項４記載の容器の蓋体構造は、請求項３に記載の容器の蓋体構造において、前記空間の開口部端面が前記容器の開口部内まで突出する状態で設けられていることを特徴とする手段とした。
【００１２】
請求項５記載の容器の蓋体構造は、金属製の容器の開口部が金属製の蓋体で閉じられていて該蓋体には肉薄部で予め開口位置が設定された飲み口をてこ作用により開口操作するためのプルタブが備えられたプルトップ缶において、前記蓋体の裏面側にはお茶の粉等の飲料添加物を収容可能な空間を形成するためのケーシングが設けられ、該ケーシングには肉薄部で予め開口位置が設定された排出口が形成され、前記蓋体のうち前記プルタブの引き起こし操作で開口される飲み口部分の裏面側には該飲み口部分の開放動作と連動して前記排出口を押圧開口させる開放片が固定されていることを特徴とする手段とした。
【００１３】
【発明の作用および効果】
この発明請求項１記載の容器の蓋体構造では、上述のように構成されるため、容器の開口部外周に形成された雄ねじ部に蓋体を強く螺合した出荷時の状態においては、環状シール部材が容器における開口部の開口端面と蓋体の環状段部との間に挟持されて圧縮されることにより、仕切り板の外周縁部が環状シール部材に形成された切り溝内で挟持されるため、仕切り板により容器の開口部が閉塞されると共に、飲料水等が収容された容器内と蓋体におけるお茶の粉等の飲料添加物が収容された空間との間が完全に仕切られた状態となる。
従って、飲用直前までお茶の粉等の飲料添加物の品質を保持することができるようになる。
【００１４】
そして、飲用する時は、容器の開口部外周に形成された雄ねじ部に強く螺合された蓋体を少し緩めると、それまで環状シール部材に形成された切り溝内で外周縁部が挟持されていた仕切り板の挟持状態が緩むため、この状態で、蓋体の外部に突出された撮み部を撮んで仕切り板を引き抜くことにより、空間内に収容されたお茶の粉等の飲料添加物が容器内に直接落下投入される。
従って、この状態で容器を振って容器内に収容された飲料水とお茶の粉等の飲料添加物を混ぜた後、蓋体を完全に開放する操作のみで、品質劣化のない入れたての状態でお茶等をおいしく飲用することができるようになる。
以上のように、蓋体を開放する操作の他には、仕切り板を引き抜く操作のみでよいため、容器に収容された飲料水等に対する飲料添加物の投入操作を簡略化することができるようになるという効果が得られる。
【００１５】
請求項２記載の容器の蓋体構造では、請求項１記載の容器の蓋体構造において、上述のように構成したため、蓋体を緩める方向に少し捩じって複数の切り取り片を切る操作を行うことにより、それまで環状シール部材に形成された切り溝内で外周縁部が挟持されていた仕切り板の挟持状態が緩むため、この状態で、蓋体の外部に突出された撮み部を撮んで仕切り板を引き抜くことができるようになる。
従って、無駄な操作がなくなって、操作をさらに簡略化することができるようになるという追加の効果が得られる。
【００１６】
請求項３記載の容器の蓋体構造では、上述のように構成されるため、容器の開口部外周に形成された雄ねじ部に蓋を強く螺合した出荷時の状態においては、雌ねじ部の最終端部に形成された環状段部に備えた環状シール部材が前記容器における開口部の開口端面に圧接されることで容器内と外部との間がシールされると共に、空間の開口部端面に接着固定された閉塞板により容器内と蓋体におけるお茶の粉等の飲料添加物が収容された空間と間が仕切られた状態となる。
従って、飲用直前までお茶の粉等の飲料添加物の品質を保持することができるようになる。
【００１７】
そして、飲用する時は、蓋体を開放する前に、蓋体におけるケーシング部の外部に突出した操作部により開放操作片を回動操作させて作動部が当接する閉塞板を容器内方へ向けて押圧することにより、お茶の粉等の飲料添加物を収容した空間の開口部端面に接着固定されていた閉塞板が押し剥されるため、空間内に収容されたお茶の粉等の飲料添加物が容器内に直接落下投入される。
従って、この状態で容器を振って容器内に収容された飲料水とお茶の粉等の飲料添加物を混ぜた後、蓋体を開放する操作のみで、品質劣化のない入れたての状態でお茶等をおいしく飲用することができるようになる。
以上のように、蓋体を開放する操作の他には、開放操作片を回動操作する操作のみでよいため、容器に収容された飲料水等に対する飲料添加物の投入操作を簡略化することができるようになるという効果が得られる。
【００１８】
請求項４記載の容器の蓋体構造では、請求項３記載の容器の蓋体構造において開口部端面が容器の開口部内まで突出する状態で設けられることにより、蓋体の外形をコンパクト化することができるようになるという追加の効果が得られる。
【００１９】
請求項５記載の容器の蓋体構造では、上述のように構成されるため、プルタブの操作により飲み口を開放する前の状態においては、容器内とお茶の粉等の飲料添加物を収容可能な空間との間がケーシングにより完全に仕切られた状態となる。
従って、飲用直前までお茶の粉等の飲料添加物の品質を保持することができるようになる。
【００２０】
そして、飲用する時は、従来通りプルタブの操作部を引き上げて、てこの作用により肉薄部で予め開口位置が設定された飲み口を開口させることにより、開口される飲み口部分の裏面側に固定された開放片が該飲み口部分の開放動作と連動し、ケーシングに肉薄部で予め開口位置が設定された排出口を押圧開口させるため、空間内に収容されたお茶の粉等の飲料添加物が容器内に直接落下投入される。
従って、この状態で飲み口はすでに開口しているので、容器を軽く振って容器内に収容されている飲料水とお茶の粉等の飲料添加物を混ぜるだけで、品質劣化のない入れたての状態のお茶等をおいしく飲用することができるようになる。
以上のように、蓋体を開放する操作のみでよいため、容器に収容された飲料水等に対する飲料添加物の投入操作を簡略化することができるようになるという効果が得られる。
【００２１】
【発明の実施の形態】
以下に、本発明の実施の形態を図面に基づいて説明する。
（発明の実施の形態１）
【００２２】
この発明の実施の形態１は請求項１、２に記載の発明に対応したものである。
まず、本発明の実施の形態１の構成を図１、２に基づいて説明する。
図１は本発明の実施の形態１の容器の蓋体構造を示す正面図、図２は図１のＩＩ−ＩＩ線における縦断面図であり、両図において、１はペットボトル本体（容器）、２はキャップ（蓋体）、３は環状シール部材、４は仕切り板、５はお茶の粉（飲料添加物）を示す。
【００２３】
さらに詳述すると、前記ペットボトル本体１における開口部１１の外周には雄ねじ部１２が形成され、該雄ねじ部１２の下方には下向きの環状係止段部１３が形成されている。
【００２４】
前記キャップ２は、内面に前記開口部１１の外周雄ねじ部１２に螺合する雌ねじ部２１が形成された円筒部２２と、前記環状シール部材３が当接係止される下向きの環状段部２３と、天壁部２４と、前記円筒部２２の下端部に複数のブリッジ（切り取り片）２５を介して一体に形成されていて前記環状係止段部１３に係止する係止部２６ａが形成された環状バンド２６とを備えている。
【００２５】
前記環状シール部材３は、ペットボトル本体１の開口部１１とキャップ２との間をシールするもので弾性材で構成され、キャップ２の環状段部２３に対し一方の面を接着固定した状態で設けられている。
【００２６】
この環状シール部材３は、その内周面に切り溝３１が形成されると共に該切り溝３１のうち略半周が前記環状シール部材の外周面まで貫通するスリット状３１ａに形成されている。そして、この切り溝３１内に外周縁部を挿入した状態で前記仕切り板４が設けられることで、キャップ２における環状段部２３の奥（上部）にお茶の粉５を密封状態で収容可能な空間２７が区画形成されている。
【００２７】
一方前記キャップ２には、切り溝３１のうち略半周が環状シール部材３の外周面まで貫通するスリット状３１ａに形成された部分と対向する位置にスリット２８が形成されていて、仕切り板４の一部が該スリット２８からキャップ２の外部に突出されて撮み部４１が形成されている。この撮み部４１は撮み易いように環状に形成されていて、出荷時は上方へ折曲してキャップ２における空間２７を構成するケーシング部２ａの外周面に仮止めされている。
【００２８】
次に、この発明の実施の形態１の作用・効果を説明する。
この発明の実施の形態１の容器の蓋体構造では上述のように構成されるため、ペットボトル本体１の開口部１１の外周に形成された雄ねじ部１２にキャップ２を強く螺合した出荷時の状態においては、環状シール部材３がペットボトル本体１における開口部１１の開口端面とキャップ２の環状段部２３との間に挟持されて圧縮されることにより、仕切り板４の外周縁部が環状シール部材３に形成された切り溝３１内で挟持されるため、仕切り板４によりペットボトル本体１の開口部１１が閉塞されると共に、飲料水が収容されたペットボトル本体１内とキャップ２におけるお茶の粉５が収容された空間２７との間が完全に仕切られた状態となる。
従って、飲用直前までお茶の粉５の品質を保持することができるようになる。
【００２９】
そして、飲用する時は、ペットボトル本体１の開口部１１の外周に形成された雄ねじ部１２に強く螺合されたキャップ２を緩める方向に少し捩じって複数のブリッジ２５を切る操作を行うことにより、それまで環状シール部材３に形成された切り溝３１内で外周縁部が挟持されていた仕切り板４の挟持状態が緩むため、この状態で、キャップ２の外部に突出された撮み部４１を撮んで仕切り板４を水平方向に引き抜くことことにより、空間２７内に収容されたお茶の粉５がペットボトル本体１内に直接落下投入される。
従って、この状態でペットボトル本体１を振ってペットボトル本体１内に収容された飲料水とお茶の粉等の飲料添加物を混ぜた後、キャップ２を完全に開放することにより、品質劣化のない入れたての状態でお茶をおいしく飲用することができるようになる。
【００３０】
以上のように、この発明の実施の形態１によれば、ブリッジ２５の切り取りとキャップ２を開放するための一連の回転操作の他には、仕切り板４を引き抜く操作のみでよいため、ペットボトル本体１に収容された飲料水に対するお茶の粉５の投入操作を簡略化することができるようになるという効果が得られる。
【００３１】
次に、本発明の他の実施の形態について説明する。なお、この他の発明の実施の形態の説明にあたっては、前記発明の実施の形態１と同様の構成部分は図示およびその説明を省略し、もしくは同一の符号を付してその説明を省略し、相違点についてのみ説明する。
【００３２】
（発明の実施の形態２）
この発明の実施の形態２は、請求項３に記載の発明に対応したものである。
まず、本発明の実施の形態２の構成を図３、４に基づいて説明する。
図３は本発明の実施の形態２の容器の蓋体構造を示す正面図、図４は図３のＩＶ−ＩＶ線における縦断面図であり、両図において、６は環状シール部材、７は閉塞板、８は開放操作片を示す。
【００３３】
さらに詳述すると、前記環状シール部材６はキャップ２の環状段部２３に対し一方の面を接着固定した状態で設けられている。
また、キャップ２には、環状段部２３の内側で該環状段部２３と同一方向に向いた開口部端面２９ａと該開口部２９からお茶の粉５を収容可能な空間２７とが設けられていて、この空間２７の開口部端面２９ａには該開口部２９を閉塞する状態で前記閉塞板７が接着固定されている。
【００３４】
前記開放操作片８は、前記空間２７を構成するケーシング部２ａの一側コーナー部にその中途部が枢軸８１により回動自在に軸支されていて、作動部８２側の先端部が閉塞板７に対し空間２７の内側から当接する一方、操作部８３側がケーシング部２ａの外部に突出された状態で設けられている。なお、この操作部８３は、出荷時には、ケーシング部２ａの外面に沿う状態となっている。
【００３５】
次に、この発明の実施の形態２の作用・効果を説明する。
この発明の実施の形態２の容器の蓋体構造では、上述のように構成されるため、ペットボトル本体１の開口部１１の外周に形成された雄ねじ部１２にキャップ２を強く螺合した出荷時の状態においては、雌ねじ部１２の最終端部に形成された環状段部２３に備えた環状シール部材６がペットボトル本体１における開口部１１の開口端面に圧接されることでペットボトル本体１内と外部との間がシールされると共に、空間２７の開口部端面２９ａに接着固定された閉塞板７によりペットボトル本体１内とキャップ２におけるお茶の粉５が収容された空間２７と間が仕切られた状態となる。
従って、飲用直前までお茶の粉等の飲料添加物の品質を保持することができるようになる。
【００３６】
そして、飲用する時は、キャップ２を開放する前に、キャップ２におけるケーシング部２ａの外部に突出した操作部８３により開放操作片８を図２において反時計方向に回動操作させると、開放操作片８の作動部８２が当接する閉塞板７がペットボトル本体１内方へ向けて押圧され、これにより、お茶の粉５を収容した空間２７の開口部端面２９ａに接着固定されていた閉塞板７の一部が押し剥されるため、空間２７内に収容されたお茶の粉５がペットボトル本体１内に直接落下投入される。
従って、この状態でペットボトル本体１を振ってペットボトル本体１内に収容された飲料水とお茶の粉５を混ぜた後、キャップ２を開放することにより、品質劣化のない入れたての状態でお茶をおいしく飲用することができるようになる。
【００３７】
以上のように、キャップを開放する操作の他には、開放操作片８を回動操作する操作のみでよいため、ペットボトル本体１に収容された飲料水に対するお茶の粉５の投入操作を簡略化することができるようになるという効果が得られる。
【００３８】
（発明の実施の形態３）
この発明の実施の形態３は、請求項５に記載の発明に対応したものである。
まず、本発明の実施の形態３の構成を図５〜７に基づいて説明する。
図５は、本発明の実施の形態３の容器の蓋体構造を示す平面図、図６は図５のＶＩ−ＶＩ線における縦断面図、図７は図６の  ＶＩＩ−ＶＩＩ  線における縦断面図であり、これらの図において、９１はアルミニウムやスチール等の金属製のプルトップ缶本体、９２は金属製の上蓋（蓋体）、９３はプルタブ、９４はケーシングを示す。
【００３９】
さらに詳述すると、前記上蓋９２には、肉薄部９２ａで予め開口位置が設定された飲み口９５をてこ作用により開口操作するためのプルタブ９３が、その中途部において、てこ作用の支点を形成する固定ピン９６により固定されている。
前記ケーシング９４は、上蓋９２の裏面側で、かつ、飲み口９５が形成される方とは反対側の位置に上蓋９２との間で密閉状の空間９７を形成する状態で固定されている。
【００４０】
そして、前記ケーシング９４における飲み口９５側の側壁面には、図７に示すように、肉薄部９４ａで予め開口位置が設定された排出口９８が形成されると共に、上蓋９２のうちプルタブ９３の引き起こし操作で開口される飲み口９５部分の裏面側と前記排出口９８部分の外面側との間に、飲み口９５部分の開放動作と連動して排出口９８を押圧開口させる開放片９９の両端部がそれぞれ固定された状態で介装されている。
なお、前記空間９７内には、予めお茶の粉５が収容されている。
【００４１】
次に、この発明の実施の形態３の作用・効果を説明する。
この発明の実施の形態３の容器の蓋体構造では、上述のように構成されるため、プルタブ９３の操作により飲み口９５を開放する前の状態においては、プルトップ缶本体９１内とお茶の粉５が収容された空間９７との間がケーシング９４により完全に仕切られた状態となる。
従って、飲用直前までお茶の粉５の品質を保持することができるようになる。
【００４２】
そして、飲用する時は、従来通りプルタブ９３の操作部を引き上げて、てこの作用により肉薄部９２ａで予め開口位置が設定された飲み口９５を開口させることにより、開口される飲み口９５部分の裏面側と排出口９８部分の外面側とにそれぞれ両端部が固定された状態で介装された開放片９９が該飲み口９５部分の開放動作と連動し、ケーシング９４に肉薄部９４ａで予め開口位置が設定された排出口９８部分を押圧開口させるため、空間９７内に収容されたお茶の粉５がプルトップ缶本体９１内に直接落下投入される。
従って、この状態で飲み口９５はすでに開口しているので、プルトップ缶本体９１を軽く振ってプルトップ缶本体９１内に収容されている飲料水とお茶の粉５を混ぜるだけで、品質劣化のない入れたての状態のお茶をおいしく飲用することができるようになる。
【００４３】
以上のように、飲み口９５を開放するプルタブ９３の操作のみでよいため、プルトップ缶本体９１に収容された飲料水に対するお茶の粉５の投入操作を簡略化することができるようになるという効果が得られる。
【００４４】
以上発明の実施の形態を図面により説明したが、具体的な構成はこれらの発明の実施の形態に限られるものではない。
例えば、発明の実施の形態では、飲料添加物として、お茶の粉を例にとったが、その他に、お茶の葉、紅茶、コーヒー、果実の粉等、容器に収容された水やお湯等に添加することにより、飲用可能な物全てを含む。
【００４５】
また、発明の実施の形態１、２では、容器としてペットボトルを例にとったが、その素材や形状は任意である。
【００４６】
また、発明の実施の形態２では、空間２７の開口部端面２９ａが環状段部２３より奥（上方）に設けられた例を示したが、開口部端面２９ａがペットボトル本体１の開口部１１内まで突出する状態に設けることにより、キャップ２の外形をコンパクト化することができるようになる。
【図面の簡単な説明】
【図１】発明の実施の形態１の容器の蓋体構造を示す正面図である。
【図２】図１のＩＩ−ＩＩ線における縦断面図である。
【図３】発明の実施の形態２の容器の蓋体構造を示す正面図である。
【図４】図１のＩＶ−ＩＶ線における縦断面図である。
【図５】発明の実施の形態３の容器の蓋体構造を示す平面図である。
【図６】図５のＶＩ−ＶＩ線における縦断面図である。
【図７】図６の  ＶＩＩ−ＶＩＩ  線における縦断面図である。
【図８】従来例の容器の蓋体構造を示す半断面図である。
【図９】従来例の容器の蓋体構造を示す縦断断面図である。
【符号の説明】
１  ペットボトル本体（容器）
１１  開口部
１２  雄ねじ部
１３  環状係止段部
２  キャップ（蓋体）
２ａ  ケーシング部
２１  雌ねじ部
２２  円筒部
２３  環状段部
２４  天壁部
２５  ブリッジ（切り取り片）
２６  環状バンド
２６ａ  係止部
２７  空間
２８  スリット
２９  開口部
２９ａ  開口部端面
３  環状シール部材
３１  切り溝
３１ａ  スリット状
４  仕切り板
４１  撮み部
５  お茶の粉（飲料添加物）
６  環状シール部材
７  閉塞板
８  開放操作片
８１  枢軸
８２  作動部
８３  操作部
９１  プルトップ缶本体（容器）
９２  上蓋（蓋体）
９２ａ  肉薄部
９３  プルタブ
９４  ケーシング
９４ａ  肉薄部
９５  飲み口
９６  固定ピン
９７  空間
９８  排出口
９９  開放片
【図１】
2004268930.tif 000003
【図２】
2004268930.tif 000004
【図３】
2004268930.tif 000005
【図４】
2004268930.tif 000006
【図５】
2004268930.tif 000007
【図６】
2004268930.tif 000008
【図７】
2004268930.tif 000009
【図８】
2004268930.tif 000010
【図９】
2004268930.tif 000011